(57)【特許請求の範囲】
【請求項１】
２つの主面を有しキャリアを生成する光電変換部と
前記主面に形成されキャリアを収集する細線電極と
前記細線電極と電気的に接続している接続用電極と
前記細線電極と前記接続用電極の間に配置され、前記細線電極と前記接続用電極とを電気的に接続するバスバー電極と
を有する太陽電池と、
一の前記太陽電池と他の太陽電池とを電気的に接続し、前記接続用電極の一端部を含む前記接続用電極の一部かつ前記一端部に接着される配線材と、
を備える太陽電池モジュールであって、
前記一端部には、前記接続用電極上に配置される前記配線材の配置面側に向かって突出した突部が形成されている太陽電池モジュール。
【請求項２】
前記接続用電極には、前記配線材と同一の材料が用いられる請求項１に記載の太陽電池モジュール。
【請求項３】
前記接続用電極は、接続された前記太陽電池同士が配列された配列方向に沿って前記主面に配置されており、
前記一端部は、前記配列方向における端部であり、且つ、前記突部と接触している配線材によって接続された前記他の太陽電池側に位置する請求項１に記載の太陽電池モジュール。
【請求項４】
前記主面と前記接続用電極とは、樹脂接着材によって接着されている請求項１又は請求項３に記載の太陽電池モジュール。
【請求項５】
前記接続用電極及び前記配線材に用いられる材料は、接続された前記太陽電池同士が配列された配列方向に沿って延び薄板状に成形された金属の導電材と、前記導電材の表面を覆う軟導電体とを含み、
前記導電材は、前記軟導電体よりも固く、
前記突部は、前記導電材の端部を含む請求項１から請求項４の何れか１項に記載の太陽電池モジュール。
【請求項６】
前記突部に含まれる前記導電材の端部は、前記配線材に用いられた前記導電材に食い込む請求項５に記載の太陽電池モジュール。
【請求項７】
前記軟導電体は、半田であり、
前記接続用電極に用いられた前記軟導電体と、前記配線材に用いられた前記軟導電体とが溶融して一体化して、前記接続用電極と前記配線材とが接着される請求項４又は請求項６に記載の太陽電池モジュール。
【請求項８】
前記突部及び前記一端部は、前記接続用電極と前記配線材とを接着する接着剤に覆われる請求項１から請求項７の何れか１項に記載の太陽電池モジュール。
【請求項９】
前記突部及び前記一端部は、前記接続用電極と前記配線材とを接着する接着剤に覆われない請求項３に記載の太陽電池モジュール。
【発明の詳細な説明】
【技術分野】
【０００１】
本発明は、太陽電池同士が配線材によって電気的に接続された太陽電池モジュールに関する。
【背景技術】
【０００２】
太陽電池は、クリーンで無尽蔵に供給される太陽光エネルギーを直接電気エネルギー変換することができるため、新しいエネルギー源として期待されている。
【０００３】
一般的に、太陽電池１枚当たりの出力は数W程度である。従って、家屋やビル等の電源として太陽電池を用いる場合には、複数の太陽電池を配線材によって互いに接続することにより出力を高めた太陽電池モジュールが用いられる。
【０００４】
太陽電池の主面には、キャリアを収集するための細線電極（フィンガー電極）と細線電極からキャリアを集電収集する太線電極（バスバー電極）とが形成されている。
【０００５】
従来、抵抗損失を小さくするために、太線電極に銅箔からなる接続用電極を接着し、接続用電極の長手方向における接続用電極の途中部分から配線材（タブ）を接着することで、複数の太陽電池を接続している太陽電池モジュールが知られている（特許文献１参照）。
【０００６】
通常、配線材を接着する際に、接着材の加熱とともに、配線材も加熱される。配線材は、加熱により膨張する。配線材は、膨張したまま、接着材によって接続用電極に接着する。配線材の温度が常温へと下がるにつれて、配線材は収縮する。配線材の収縮に伴う応力は、接続用電極や太陽電池へと働くことによって、接続用電極がはがれたり、太陽電池が割れたりすることがあった。
【０００７】
特許文献１の発明では、接続用電極の途中部分から配線材を接着するため、配線材を接続用電極の略全長に配線材を接着する場合と比べて、配線材の収縮に伴う応力は、接続用電極や太陽電池の一部にしか働かなくなる。これによって、接続用電極のはがれや、太陽電池の割れを抑えることができる。
【先行技術文献】
【特許文献】
【０００８】
【特許文献１】特開平１１−２１４７３３号公報
【発明の概要】
【発明が解決しようとする課題】
【０００９】
太陽電池モジュールにおいて、太陽電池を固定するために、太陽電池は、封止材に覆われている。この封止材と太陽電池や配線材等との熱膨張係数差は異なるため、温度サイクルの繰り返しに伴い、太陽電池や配線材に熱膨張係数差に起因した応力が加わる。複数の太陽電池が配列される配列方向に沿って、太陽電池に応力が働くと、配線材へと応力が伝わる。その結果、接続用電極と配線材との接着部分に、配列方向に沿って接続用電極と配線材とがずれるような負荷が生じる。
【００１０】
特許文献１の発明では、接続用電極の途中部分から配線材を接着するため、接続用電極の略全長に配線材を接着する場合と比べると、接続用電極と配線材との接着は弱くなる。このため、太陽電池モジュールを長期間使用すると、接続用電極と配線材とが外れることが懸念される。
【００１１】
本発明は、このような状況に鑑みてなされたものであり、接続用電極の一部に配線材が接着された太陽電池モジュールにおいて、温度サイクルが繰り返されても、接続用電極と配線材とが外れることなく、長期間使用できる太陽電池モジュールを提供することを目的とする。
【課題を解決するための手段】
【００１２】
上述した課題を解決するため、本発明は、次のような特徴を有している。本発明の第１の特徴は、２つの主面（受光面１２及び裏面１３）を有しキャリアを生成する光電変換部（光電変換部２０）と前記主面に形成されキャリアを収集する細線電極（細線電極３０）と前記細線電極と電気的に接続している接続用電極（接続用電極４０）とを有する太陽電池（太陽電池１０）と、一の前記太陽電池と他の太陽電池とを電気的に接続し、前記接続用電極の一端部（一端部４６）を含む前記接続用電極の一部（一部４５）かつ前記一端部に接着される配線材（配線材５０）と、を備える太陽電池モジュール（太陽電池モジュール１００）であって、前記一端部には、前記接続用電極上に配置される前記配線材の配置面（配置面５６）側に向かって突出した突部（突部４８）が形成されていることを要旨とする。
【００１３】
本発明の第１の特徴によれば、配線材は一端部と接着しており、一端部には、突部が形成されている。すなわち、配置面側に向かって突出している突部に配線材が接着されている。複数の太陽電池が配列される配列方向に沿って太陽電池から配線材へと応力が働いた場合、接続用電極と配線材との接着部分からだけでなく、突部を通じても、配線材から接続用電極に応力が伝わる。このため、接続用電極と配線材との接着部分にのみ応力が働くのを抑制できる。従って、配列方向に沿って接続用電極と配線材とがずれるような負荷が、接続用電極と配線材との接着部分にかかるのを低減できる。これによって、接続用電極と配線材とが外れるのを抑制できる。
【００１４】
本発明の第２の特徴は、接続用電極は、接続された太陽電池同士が配列された配列方向に沿って主面に配置されており、一端部は、突部と接触している配線材によって接続された他の太陽電池側にあることを要旨とする。
【００１５】
本発明の第４の特徴は、主面と前記接続用電極とは、樹脂接着材によって接着されていることを要旨とする。
【発明の効果】
【００１６】
本発明は、接続用電極の一部に配線材が接着された太陽電池モジュールにおいて、温度サイクルが繰り返されても、接続用電極と配線材とが外れることなく、長期間使用できる。
【図面の簡単な説明】
【００１７】
【図１】本発明の実施形態に係る太陽電池モジュール１００の側面図である。
【図２】本発明の実施形態に係る太陽電池１０を受光面１２側から見た平面図である。
【図３】本発明の実施形態に係る太陽電池ストリング１を受光面１２側から見た平面図である。
【図４】本発明の実施形態の一例を示す太陽電池モジュール１００の側面図である。
【図５】本発明の実施形態の一例を示す太陽電池モジュール１００の側面図である。
【図６】本発明の実施形態に係る図３のA−A’断面の要部を拡大して示す断面図である。
【図７】本発明の実施形態の変更例１に係る図３のA−A’断面の要部を拡大して示す断面図である。
【図８】本発明の実施形態の変更例２に係る図３のA−A’断面の要部を拡大して示す断面図である。
【図９】突部４８を形成する方法を説明するための図である。
【発明を実施するための形態】
【００１８】
本実施の形態に係る太陽電池モジュール１００の一例について、図面を参照しながら説明する。以下の図面の記載において、同一または類似の部分には、同一又は類似の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれていることは勿論である。
【００１９】
（１）太陽電池モジュール１００の概略構成
本発明の実施形態に係る太陽電池モジュール１００について、図１を参照しながら説明する。図１は、本発明の実施形態に係る太陽電池モジュール１００の側面図である。
【００２０】
太陽電池モジュール１００は、図１に示すように、太陽電池ストリング１、受光面側保護材２、裏面側保護材３及び封止材４を備える。太陽電池モジュール１００は、受光面側保護材２と裏面側保護材３との間に、封止材４によって、太陽電池ストリング１を封止することにより構成される。
【００２１】
太陽電池ストリング１は、複数の太陽電池１０及び複数の配線材５０を備える。太陽電池ストリング１は、配列された複数の太陽電池１０を複数の配線材５０によって互いに接続することにより構成される。なお、複数の太陽電池１０が配列される方向を配列方向Ｈとする。
【００２２】
太陽電池１０は、光を受ける受光面１２と、受光面１２の反対側に設けられる裏面１３との２つの主面を有する光電変換部２０とを備えている（図２参照）。受光面１２及び裏面１３それぞれは、太陽電池１０の主面となる。受光面１２は、受光面側保護材２と対向する。裏面１３は、裏面側保護材３と対向する。配線材５０は、太陽電池１０の受光面１２及び裏面１３に配置された接続用電極４０の一端部４６を含む接続用電極４０の一部４５かつ一端部４６に接着される。
【００２３】
受光面側保護材２は、図１に示すように、各太陽電池１０の受光面１２側に配置される。受光面側保護材２は、太陽電池モジュール１００の表面を保護する。受光面側保護材２としては、透光性強化ガラス、透光性プラスチック等を用いることができる。
【００２４】
裏面側保護材３は、各太陽電池１０の裏面１３側に配置される。裏面側保護材３は、太陽電池モジュール１００の背面を保護する。裏面側保護材３としては、数μｍ〜数ｍｍ厚を有するＰＥＴ（Polyethylene Terephthalate）等の樹脂フィルム、Ａｌ箔を樹脂フィルムでサンドイッチした構造を有する積層フィルムなどを用いることができる。
【００２５】
封止材４は、受光面側保護材２と裏面側保護材３との間で太陽電池ストリング１を封止する。封止材４としては、ＥＶＡ、ＥＥＡ、ＰＶＢ、シリコーン、ウレタン、アクリル、エポキシ等の透光性の樹脂を用いることができる。
【００２６】
太陽電池モジュール１００の外周には、Ａｌフレーム（不図示）を取り付けることができる。
【００２７】
（２）太陽電池１０の概略構成
本発明の実施形態に係る太陽電池１０ついて、図２を参照しながら説明する。図２は、本発明の実施形態に係る太陽電池１０を受光面１２側から見た平面図である。
【００２８】
太陽電池１０は、図２に示すように、光電変換部２０と、複数本の細線電極３０と、複数本の接続用電極４０とを備える。
【００２９】
光電変換部２０は、太陽光が入射する受光面１２と、受光面１２の反対側に設けられる裏面１３とを有する。光電変換部２０は、受光面１２での受光によりキャリアを生成する。ここで、キャリアとは、太陽光が光電変換部２０に吸収されて生成される正孔と電子とをいう。光電変換部２０は、例えば、内部にｎ型領域とｐ型領域とを有しており、ｎ型領域とｐ型領域との界面で半導体接合が形成される。光電変換部２０は、単結晶Ｓｉ、多結晶Ｓｉ等の結晶系半導体材料、ＧａＡｓ、ＩｎＰ等の化合物半導体材料などによって構成される半導体基板を用いて形成することができる。光電変換部２０は、単結晶シリコン基板と非晶質シリコン層との間に真性な非晶質シリコン層を挟むことによりヘテロ結合界面の特性を改善した構造、いわゆるＨＩＴ構造を有していてもよい。
【００３０】
細線電極３０は、光電変換部２０からキャリアを収集する。図２に示すように、細線電極３０は、主面である受光面１２に、配列方向Ｈに略直交する直交方向Ｔに沿って、ライン状に形成される。細線電極３０は、導電性ペーストなどを印刷することによって形成することができる。細線電極３０は、接続用電極４０と電気的に接続されている。
【００３１】
接続用電極４０上には、配線材５０が配置される。配置された配線材５０と接続用電極４０とは、接着される。具体的には、接続用電極４０の一端部４６を含む接続用電極４０の一部４５かつ一端部４６に、配線材５０が接着される。太陽電池１０は接続用電極４０を備えることによって、導体の断面積が増えるため、抵抗損失を小さくすることができる。接続用電極４０は、配列方向Ｈに沿って、受光面１２上に配置される。接続用電極４０としては、薄板状に成形された銅等の導電材などを用いることができる。このような導電材の表面は、一般的なＰｂフリー半田（例えば、ＳｎＡｇ３．０Ｃｕ０．５）などの軟導電体によってメッキされていてもよい。
【００３２】
接続用電極４０上とは、必ずしも接続用電極４０の上を意味するものではない。主面（受光面１２及び裏面１３）に対して垂直方向に主面から離れる方向を上という。従って、裏面１３においては、裏面１３から裏面側保護材３に向かう方向が上となる。
【００３３】
図２には示されていないが、太陽電池１０は、バスバー電極６０を備えていても良い（図６参照）。太陽電池１０がバスバー電極６０を備えている場合は、バスバー電極６０上に、接続用電極４０を接続することで、細線電極３０と接続用電極４０とは電気的に接続される。バスバー電極６０は、受光面１２上に配列方向Ｈに沿って形成される。バスバー電極６０は、例えば、印刷法などを用いて、樹脂型導電性ペーストや焼結型導電性ペースト（セラミックペースト）によって形成される。バスバー電極６０の寸法及び本数は、光電変換部２０の大きさや物性などを考慮して、適当な本数に設定することができる。
【００３４】
なお、図示していないが、細線電極３０と接続用電極４０とバスバー電極６０とは、受光面１２だけでなく、裏面１３にも同様に形成されている。ただし、必ずしも、細線電極３０と接続用電極４０とバスバー電極６０とは、受光面１２と同一の構成を有する必要はなく、適当な本数等に設定することができる。
【００３５】
（３）太陽電池ストリング１の概略構成
本発明の実施形態に係る太陽電池ストリング１について、図３を参照しながら説明する。図３は、本発明の実施形態に係る太陽電池ストリング１を受光面１２側から見た平面図である。
【００３６】
図３に示すように、一の太陽電池１０と一の太陽電池１０に隣接する他の太陽電池１０とは、２本の配線材５０によって電気的に接続される。各配線材５０の一端部は、接続用電極４０の一端部４６を含む一部４５かつ接続用電極４０の一端部４６に接着される。ここで一部４５とは、接続用電極４０の全面に渡っては、配線材５０が接着されていないことを意味する。接続用電極４０の全面に渡って配線材５０が接着されると、配線材５０の収縮に伴う応力によって、接続用電極４０がはがれたり、太陽電池１０が割れたりするおそれがあるためである。
【００３７】
各配線材５０の他端部は、他の太陽電池１０の裏面１３上に形成された接続用電極４０に接着される（図１参照）。ただし、必ずしも、配線材５０の一端部及び他端部ともに接続用電極４０に接着されている必要はない。図４及び図５に示すように、配線材５１の一端部が接続用電極４０に接着されており、配線材５１の他端部は、太陽電池１０に接着されている太陽電池ストリング１であっても良い。すなわち、全ての太陽電池１０が接続用電極４０を備えている必要はなく、接続用電極４０を備えている太陽電池１０を有する太陽電池ストリング１であれば良い。
【００３８】
配線材５０としては、薄板状に成形された銅等の導電材などを用いることができる。このような導電材の表面は、一般的なＰｂフリー半田（例えば、ＳｎＡｇ３．０Ｃｕ０．５）などの軟導電体によってメッキされていても良い。また、接続用電極４０と同一の材料を用いて配線材５０を構成しても良い。
【００３９】
（４）接続用電極４０と配線材５０との接続部分
本発明の接続用電極４０と配線材５０との接続部分について、図６を参照しながら説明する。図６は、本発明の実施形態に係る図３のA−A’断面の要部を拡大して示す断面図である。
【００４０】
図６に示すように、光電変換部２０の主面である受光面１２上に細線電極３０とバスバー電極６０とが形成されている。バスバー電極６０上には、接続用電極４０が配置されている。接続用電極４０とバスバー電極６０とは、接着材（不図示）によって接続している。接続用電極４０の一端部４６を含む接続用電極４０の一部かつ一端部４６には、配線材５０が接着されている。配線材５０は、薄板状の導電材である配線材芯線５３に、軟導電体である配線材被覆材５４を形成することで構成されている。接続用電極４０と配線材５０とは、半田７０によって接着されている。
【００４１】
接続用電極４０の一端部４６には、接続用電極４０に配置される配線材５０の配置面５６側に向かって突出した突部４８が形成されている。この突部４８は、配線材５０と接触している。具体的には、突部４８は、配置面５６を超えて配線材５０に食い込んでいる。従って、例えば、接続用電極４０と配線材５０とがずれるような応力が配線材５０から接続用電極４０へと伝わる場合、半田７０を介して伝わるだけでなく、突部４８を通じても、接続用電極４０に応力が伝わる。このため、接続用電極４０と配線材５０とがずれるような負荷が接続用電極４０の接着部分にのみ働くのを抑制できる。すなわち、突部４８が配線材５０に引っかかることで、接着部分の負荷を軽減している。この結果、接続用電極４０と配線材５０とが外れるのを抑制できる。
【００４２】
配線材芯線５３は、配線材被覆材５４よりも固いため、突部４８を配線材芯線５３に食い込むように接触させた方がより好ましい。
【００４３】
さらに、本実施形態において、突部４８は、半田７０に覆われている。突部４８に凹凸が形成されていた場合には、凹凸に半田７０が入り込んで硬化することで接着力を高めることができる（アンカー効果）。これによって、接続用電極４０と配線材５０とが外れるのをさらに抑制できる。
【００４４】
接続用電極４０の一端部４６は、突部４８と接触している配線材５０によって接続された他の太陽電池１０側にある（図３参照）。従って、他の太陽電池１０から応力を、突部４８が受けやすくなるため、接着部分にかかる負荷を低減できる。
【００４５】
（５）接続用電極と配線材との接続部分の変更例
（５−１）変更例１
本発明の変更例１について、図７を参照しながら説明する。以下においては、上記実施形態との相違点について主に説明する。
【００４６】
図７に示すように、光電変換部２０の主面である受光面１２上に細線電極３０が形成されている。さらに、受光面１２上に接続用電極４０が配置されている。受光面１２と接続用電極４０とは、樹脂接着材８０によって接着されている。
【００４７】
樹脂接着材８０は、鉛フリー半田の融点（約２００℃）以下の温度で硬化することが好ましい。樹脂接着材８０としては、例えば、アクリル樹脂、柔軟性の高いポリウレタン系などの熱硬化性樹脂接着剤の他、エポキシ樹脂、アクリル樹脂、あるいはウレタン樹脂に硬化剤を混合させた２液反応系接着剤などを用いることができる。樹脂接着材８０は、複数の導電性粒子を含んでも良い。導電性粒子としては、ニッケル、金コート付きニッケルなどを用いることができる。導電性粒子を含まない樹脂接着材８０を用いた場合は、細線電極３０と接続用電極４０とを電気的に接続するため、図７に示すように、細線電極３０と接続用電極４０とを直接接触させるのが好ましい。ここでいう接触は、細線電極３０と接続用電極４０とが接して当たっていることを意味している。
【００４８】
接続用電極４０は、薄板状の導電材である接続用電極芯線４３に、軟導電体である接続用電極被覆材４４をメッキすることで構成されている。配線材５０も、薄板状の導電材である配線材芯線５３に、軟導電体である配線材被覆材５４をメッキすることで構成されている。従って、接続用電極被覆材４４及び配線材被覆材５４に半田７０を用いた場合、図７に示すように、接続用電極被覆材４４と配線材被覆材５４とは溶融することもある。
この場合であれば、接続用電極芯線４３自体が配線材５０と接触していなくても、図６に示された上記実施形態と同一の効果を得ることができる。接続用電極芯線４３が配線材芯線５３に接触した方がより好ましい。
【００４９】
（５−２）変更例２
本発明の変更例２について、図８を参照しながら説明する。以下においては、上記実施形態及び変更例１との相違点について主に説明する。
【００５０】
図８に示されるように、接続用電極４０と配線材５０とを接着する接着部分に、突部４８が形成される一端部４６が含まれていない。一端部４６は、一般的に、太陽電池１０の側面近くに存在する。太陽電池１０の側面と配線材５０とが電気的に接続するとリークが生じる。従って、一端部４６が含まれるように接続用電極４０と配線材５０との接着の際に、半田溜まりが生じることによって、リークが生じる可能性がある。図８に示すように、接続用電極４０と配線材５０との接着部分に、一端部４６が含まれない構成とすることで、リークが生じる可能性を下げることができる。
【００５１】
（６）太陽電池モジュール１００の製造方法
本実施形態に係る太陽電池モジュール１００の製造方法について説明する。
【００５２】
まず、スクリーン印刷法、オフセット印刷法等の印刷法を用いて、エポキシ系熱硬化型の銀ペーストなどの導電性ペーストを、光電変換部２０の受光面１２上及び裏面１３上に所定のパターンで配置する。所定のパターンは、例えば、図２に示すパターンである。導電性ペーストを所定条件で乾燥させることによって、細線電極３０及びバスバー電極６０が形成される。
【００５３】
次に、接続用電極４０を準備し、接続用電極４０を主面に配置する。本実施形態では、バスバー電極６０上に配置することで主面に配置している。接続用電極４０は、接続用電極４０の材料となる長尺の接続用電極材料４０Ａを所定の長さで切断することで準備される。切断は、例えば、図９に示す切断器具９０を用いることで行われる。具体的には、ボビンに巻かれた接続用電極材料４０Ａを引き出して、図９（ａ）に示すように、切断部材９０Ａ及び切断部材９０Ｂの間に配置する。切断部材９０Ａの側面９２Ａと切断部材９０Ｂの側面９２Ｂとは同一面上にある。その同一面と平行な切断方向Ｃに沿って、切断部材９０Ｂを動かす。切断部材９０Ａは、切断部材９０Ａと上記同一面との間に空間９５が形成されるような形状をしているため、接続用電極４０には、図９（ｂ）に示すように、空間９５と同一形状の突部４８が形成される。また、ハサミ状の器具を用いて、接続用電極材料４０Ａをねじりながら切断することでも突部４８を形成することができる。これによって、切断面が荒くなり突部４８に凹凸を形成しやすくなる。他にも、接続用電極４０の一端部４６を曲げることで突部４８を形成しても良い。
【００５４】
このようにして準備された一端部４６に突部４８が形成された接続用電極４０をバスバー電極６０と接続する。接続するために用いられる接着材には、半田の他、樹脂接着材がある。樹脂接着材を用いる場合には、バスバー電極６０上にテープ状あるいはペースト状の樹脂接着材４０を介して接続用電極４０を配置する。配置した接続用電極４０を受光面１２側に押し付けながら加熱する。これによって、接続用電極４０とバスバー電極６０とが接着される。
【００５５】
バスバー電極６０を形成しない場合は、接続用電極４０と細線電極３０とが電気的に接続するようにして、主面と接続用電極４０とを接着する。
【００５６】
次に、複数の太陽電池１０を配線材５０によって互いに電気的に接続する。具体的には、接続用電極４０の一部に配線材５０を接着する。本実施形態では、半田７０を用いて、接続用電極４０と配線材５０とを接着している。
【００５７】
次に、ガラス基板（受光面側保護材２）上に、ＥＶＡシート（封止材４）、太陽電池ストリング１、ＥＶＡシート（封止材４）及びＰＥＴシート（裏面側保護材３）を順次積層して積層体とする。上記積層体を所定条件で加熱することにより、ＥＶＡを硬化させる。
【００５８】
以上により、太陽電池モジュール１００が作製される。太陽電池モジュール１００には、端子ボックスやＡｌフレーム等を取り付けることができる。
【００５９】
（７）作用・効果
太陽電池モジュール１００では、配置面５６側に向かって突出している突部４８が配線材５０と接触している。具体的には、突部４８は、配置面５６を超えて配線材５０に食い込んでいる。従って、例えば、接続用電極４０と配線材５０とがずれるような応力が配線材５０から接続用電極４０へと伝わる場合、半田７０を介して伝わるだけでなく、突部４８を通じても、接続用電極４０に応力が伝わる。このため、接続用電極４０と配線材５０とがずれるような負荷が接続用電極４０の接着部分にのみ働くのを抑制できる。すなわち、突部４８が配線材５０に引っかかることで、接着部分の負荷を軽減している。この結果、接続用電極４０と配線材５０とが外れるのを抑制できる。
【００６０】
太陽電池モジュール１００では、接続用電極４０は、配列方向Ｈに沿って配置されており、接続用電極４０の一端部４６は、突部４８と接触している配線材５０によって接続された他の太陽電池１０側にある（図３参照）。従って、他の太陽電池１０から応力を、突部４８が受けやすくなるため、接着部分にかかる負荷を低減できる。
【００６１】
太陽電池モジュール１００では、接続用電極４０と配線材５０とは、半田７０によって接着されている。樹脂接着材８０を用いた場合には、加熱しながら押し付ける工程が必要であるため、工程が煩雑になる。一方、半田７０を接着材として用いれば、加熱により溶解した半田７０を接着箇所へと配置すればよい。さらに、半田７０の方が、樹脂接着材８０よりも安いため、コストを抑えることができる。
【００６２】
（８）その他の実施形態
上述したように、本発明の実施形態を通じて本発明の内容を開示したが、この開示の一部をなす論述及び図面は、本発明を限定するものであると理解すべきではない。
【００６３】
本発明の実施形態では、接続用電極４０は、配列方向Ｈに沿って主面に配置されていたが、必ずしも配列方向Ｈに沿っている必要はない。例えば、接続用電極４０は、直交方向Ｔに沿って配置されていても良い。
【００６４】
本発明の実施形態では、接続用電極４０と配線材５０とは、半田７０によって接着されているが、樹脂接着材８０によって接着しても良い。また、接続用電極４０と配線材５０とは、直接接触していないが、直接接触させて接着しても良い。ここでいう接触は、接続用電極４０と配線材５０とが接して当たっていることを意味している。
【００６５】
このように、本発明はここでは記載していない様々な実施形態を含む。従って、本発明の技術的範囲は上記の説明から妥当な特許請求の範囲に係る発明特定事項によってのみ定められるものである。
【符号の説明】
【００６６】
１…太陽電池ストリング、２…受光面側保護材、３…裏面側保護材、４…封止材、１０…太陽電池、１２…受光面、１３…裏面、２０…光電変換部、３０…細線電極、４０…接続用電極、４０A…接続用電極材料、４３…接続用電極芯線、４４…接続用電極被覆材、４５…一部、４６…端部、４８…突部、５０，５１，５２…配線材、５３…配線材芯線、５４…配線材被覆材、５６…配置面、６０…バスバー電極、７０…半田、８０…樹脂接着材、９０…切断器具、９０A，９０B…切断部材、９２Ａ，９２Ｂ…切断部材の側面、９５…空間、１００，１０１，１０２…太陽電池モジュール、H…配列方向、T…直交方向、C…切断方向
【図１】
0005490466.tif 000002
【図２】
0005490466.tif 000003
【図３】
0005490466.tif 000004
【図４】
0005490466.tif 000005
【図５】
0005490466.tif 000006
【図６】
0005490466.tif 000007
【図７】
0005490466.tif 000008
【図８】
0005490466.tif 000009
【図９】
0005490466.tif 000010